(57)【要約】  ワイヤレス通信デバイスは、第１タイムインターバルに、情報をワイヤレス通信ネットワークに送信し、第２タイムインターバルに情報の送信を行わないパワーアンプを含む。回路基板は、パワーアンプと接続され、電源は、電力をパワーアンプに供給する。第１及び第２コンダクタは、パワーアンプと電源とに接続され、回路基板上で、重畳部分と、非重畳部分とを有する。
2007533258.tif 000002
【特許請求の範囲】
【請求項１】
第１タイムインターバルに、ワイヤレス通信ネットワークに情報を送信し、第２タイムインターバルにはその情報送信を行わないパワーアンプと、
前記パワーアンプに接続された回路基板と、
前記パワーアンプに電力を供給する電源と、
前記パワーアンプと前記電源とに接続され、それぞれが、前記回路基板上に重畳部分及び非重畳部分を有する第１及び第２コンダクタと、
を含むことを特徴とするワイヤレス通信デバイス。
【請求項２】
前記第１及び第２コンダクタは、前記電源を前記パワーアンプに接続する第１及び第２エッチラン（etch runs）を含むことを特徴とする請求項１に記載のワイヤレス通信デバイス。
【請求項３】
前記回路基板は、プリント回路基板又はフレキシブル回路基板を含むことを特徴とする請求項１に記載のワイヤレス通信デバイス。
【請求項４】
前記第１コンダクタには、第１電流が前記パワーアンプに対して第１方向に流れ、第２コンダクタには、第２電流が、前記パワーアンプから、第１方向とは逆の第２方向に流れることを特徴とするワイヤレス通信デバイス。
【請求項５】
前記第１及び第２電流は、前記パワーアンプの動作に応じて、５０Ｈｚと２１７Ｈｚの間の周波数でオンとオフが切り替わる第１及び第２直流電流を含むことを特徴とする請求項４に記載のワイヤレス通信デバイス。
【請求項６】
前記第１コンダクタの前記重畳部分は回路基板の下層において延設され、前記回路基板の上層に延設された第２コンダクタの前記重畳部分の下方に位置することを特徴とする請求項１に記載のワイヤレス通信デバイス。
【請求項７】
前記重畳部分は、それぞれ、互いに直角をなすことを特徴とする請求項６に記載のワイヤレス通信デバイス。
【請求項８】
前記第１コンダクタの重畳部分及び非重畳部分は、途切れることなく前記下層に延設され、第２コンダクタの重畳部分及び非重畳部分は、途切れることなく前記上層に延設されることを特徴とする請求項６に記載のワイヤレス通信デバイス。
【請求項９】
途切れることなく延設された前記第１、第２コンダクタは、互いに部分的に重なり合ったジグザグパターンを有することを特徴とする請求項８に記載のワイヤレス通信デバイス。
【請求項１０】
前記第１及び第２コンダクタの重畳部分と非重畳部分は、前記下層と前記上層に交互に延設されることを特徴とする請求項６に記載のワイヤレス通信デバイス。
【請求項１１】
交互に延設された前記第１及び第２コンダクタは、互いに部分的に重畳する第１及び第２ジグザグパターンを有することを特徴とする請求項８に記載のワイヤレス通信デバイス。
【請求項１２】
前記下層及び上層は、１つ以上の層によって分離されているか、或いは、直接隣接していることを特徴とする請求項６に記載のワイヤレス通信デバイス。
【請求項１３】
第１及び第２コンダクタの重畳部分のうち、隣接する重畳部分同士の間隔は、パワーアンプへの電流が切り替えられる周波数に基づいて定められることを特徴とする請求項１に記載のワイヤレス通信デバイス。
【請求項１４】
第１タイムインターバルにワイヤレス通信ネットワークに情報を送信し、第２タイムインターバルにはその情報送信を行わないパワーアンプと、
前記パワーアンプに接続された回路基板と、
前記パワーアンプに電力を供給する電源と、
前記パワーアンプと前記電源とに接続され、それぞれ前記回路基板の上層及び下層において途切れることなく延設されて、互いに部分的に重畳した第１及び第２ジグザグパターンを形成する、前記回路基板上の第１及び第２コンダクタと、
を含むことを特徴とするワイヤレス通信デバイス。
【請求項１５】
前記第１及び第２コンダクタの重畳部分のうち、隣接する重畳部分同士の間隔は、パワーアンプへの電流が切り替えられる周波数に基づいて定められることを特徴とする請求項１４に記載のワイヤレス通信デバイス。
【請求項１６】
前記第１コンダクタにおいて、第１方向の第１電流が、パワーアンプに対して流れ、前記第２コンダクタにおいては、前記パワーアンプから、前記第１方向とは逆の第２方向の第２電流が流れることを特徴とする請求項１４に記載のワイヤレス通信デバイス。
【請求項１７】
第１及び第２電流は、前記パワーアンプの動作に応じて、５０Ｈｚと２１７Ｈｚの間の周波数でオンとオフが切り替わる第１及び第２直流電流を含むことを特徴とする請求項１６に記載のワイヤレス通信デバイス。
【請求項１８】
パワーアンプを電源に接続する、回路基板上の第１及び第２エッチラン（etch runs）であって、
前記第１及び第２エッチランとワイヤレス通信デバイスに近接した補聴器との電磁結合を低減するため、パワーアンプへ第１電流を流し、及び、第１電流とは逆方向の第２電流をパワーアンプから流す第１及び第２エッチランを含むことを特徴とするプリント回路基板。
【請求項１９】
第１タイムインターバルに、ワイヤレス通信ネットワークに情報を送信し、第２タイムインターバルにはその情報送信を行わないパワーアンプと、
前記パワーアンプに接続された回路基板と、
前記パワーアンプに電力を供給する電源と、
前記パワーアンプと前記電源とに接続され、前記回路基板の下層と上層との間に交互に延設された重畳部分および非重畳部分をそれぞれが有する、前記回路基板上の第１及び第２コンダクタと、
を含むことを特徴とするワイヤレス通信デバイス。
【請求項２０】
パワーアンプを電源に接続する回路基板と、
前記パワーアンプ及び前記電源に接続され、前記回路基板の下層と上層との間で交互に延設された重畳部分および非重畳部分をそれぞれが有する、前記回路基板上の第１及び第２コンダクタと、
を備え、無線電話に用いられることを特徴とするプリント回路基板。
【発明の詳細な説明】
【技術分野】
【０００１】
本発明は、一般的に通信分野に関し、特に、セルラ無線電話通信に関する。
【背景技術】
【０００２】
アコースティック接続モード或いは、テレコイル接続モードで動作する補聴器が知られている。アコースティック接続モードで動作する補聴器は、ユーザの周囲にある音であれば、電話の音声信号といった望ましい音と共に、望まない周囲のノイズをも受信し、増幅してしまう。一方、テレコイル接続モードで動作する補聴器は、補聴器のマイクを切って、テレコイルコンパチブル電話によって生成された磁界のみを受信することにより、望ましくない周囲のノイズをカットすることができる。
【発明の開示】
【発明が解決しようとする課題】
【０００３】
アナログセルラ無線電話機は、一般的には、補聴器のユーザに干渉問題を引き起こすことは無いが、デジタルセルラ無線電話機は、無線電話のいくつかの部品によって発生される電磁力により、補聴器と移植蝸牛に干渉を引き起こす。この干渉は、補聴器をつけた又は蝸牛移植を受けた者に、デジタルセルラ無線電話の使用を禁止しなければならないほどに重大な場合がある。加えて、セルラ無線電話の中には、テレコイルを含む補聴器と誘導的に接続する能力を持たないものもある。
【０００４】
特に、デジタルセルラ無線電話システムは、通信に、時分割多重接続（ＴＤＭＡ）技術を利用しており、そのため、異なる呼に対し異なる送受信タイムスロットを割り当てることにより、単一の無線周波数チャネルは、いくつかの呼の間でシェアされる。加えて、これらのＴＤＭＡシステムにおける送受信タイムスロットは、交互に存在し、それにより、同時には、その通話を送受信する必要がなく、トランスミッタは、各フレーム中のある期間は、アクティブではない。
【０００５】
デジタル音声信号をバッファリングして、連続的にバッファされた信号を、割り当てられたスロットにおいてバッファリングされたのよりも高いレートで連続的に送信することによって、送信時間のロス（すなわち、トランスミッタの動作しない時間）は、補償される。トランスミッタのパワーは、その高いレートをサポートするように増幅される。補聴器のような音声再生機の近くでそのようなトランスミッタが動作すると、トランスミッタのスイッチ動作が、補聴器の動作に影響を及ぼす可能性がある。例えば、トランスミッタが、耳に聞こえるほどのざわざわ言う音を、補聴器が生成した音声中に引き起こす可能性がある。
【課題を解決するための手段】
【０００６】
本発明の実施形態は、電源とパワーアンプシステムに接続され、部分的に互いに重畳するコンダクタを有する回路基板を含むワイヤレス通信デバイスを提供する。
【０００７】
これらの実施形態によれば、ワイヤレス通信デバイスは、
第１タイムインターバルに、ワイヤレス通信ネットワークに情報を送信し、第２タイムインターバルにはその情報送信を行わないパワーアンプと、
前記パワーアンプに接続された回路基板と、
前記パワーアンプに電力を供給する電源と、
前記パワーアンプと前記電源とに接続され、それぞれ、前記回路基板との重畳部分および非重畳部分を有する第１及び第２コンダクタと、
を含むことができる。
【０００８】
本発明の実施形態によれば、第１及び第２コンダクタは、前記電源を前記パワーアンプに接続する第１及び第２エッチラン（etch runs）である。
【０００９】
本発明の実施形態によれば、前記回路基板は、プリント回路基板またはフレキシブル回路基板である。
【００１０】
本発明の他の実施形態によれば、前記第１コンダクタは、第１電流を前記パワーアンプに対して第１方向に伝導し、第２コンダクタは、第２電流を、前記パワーアンプから、第１方向とは逆の第２方向にて受け付ける。本発明の実施形態によれば、前記第１及び第２電流は、前記パワーアンプの動作に応じて、５０Ｈｚと２１７Ｈｚの間の周波数でオンとオフが切り替わる第１及び第２直流電流を含む。
【００１１】
本発明の実施形態によれば、第１コンダクタの重畳部分は、回路基板の下層に延設され、その上に、第２コンダクタの重畳部分が、回路基板の上層に延設される。本発明の実施形態によれば、重畳部分は、それぞれ、互いに直角をなす。また、本発明の実施形態によれば、第１コンダクタの重畳部分及び非重畳部分は、連続的に、前記下層に伸び、第２コンダクタの重畳部分及び非重畳部分は、連続的に、前記上層に伸びる。
【００１２】
本発明の実施形態によれば、連続的に延設された第１、第２コンダクタは、互いに部分的に重なり合ったジグザグパターンを有する。本発明の実施形態によれば、第１及び第２コンダクタの重畳部分と非重畳部分は、回路基板の下層と上層に交互に延設される。本発明の実施形態によれば、交互に延設された前記第１及び第２コンダクタは、互いに部分的に重畳する第１及び第２ジグザグパターンを有する。
【発明を実施するための最良の形態】
【００１３】
以下に、本発明の実施形態が示された添付の図面を参照しつつ、本発明についてより詳細に説明する。しかしながら、本発明は、様々な形態で実現可能であり、ここに示す実施形態に限定して理解すべきではない。むしろ、これらの実施形態は、この開示が完全で完璧であるように、そして当業者にとって本発明の技術範囲が完全に理解できるように提供されたものである。
【００１４】
図中、線分、レイヤ、及び領域の太さは、明瞭に説明するため強調されたものである。レイヤ、領域、或いは基板といった要素が、他の要素の「上に」存在すると記載されている場合、その「他の要素」の上に直接存在してもよいし、中間に他の１つ以上の要素が介在しても良い。これとは逆に、要素が、他の要素の「直接上に」存在すると記載されている場合には、そこには介在する要素は存在しない。ある要素が他の要素に「接続」されていると記載された場合、他の要素に直接接続されていてもよいし、他の要素が介在しても良い。逆に、ある要素が他の要素に「直接接続」されていると記載された場合、そこには他の要素の介在はない。全体として、同様の要素には同様の番号が付されている。
【００１５】
加えて、「下に」「下の」「下方の」「上に」「上方の」などと言った空間的な関係を示す単語は、ここでは、図中に示された１つの要素や特徴の、他の要素や特徴に対する関係を示す記載を容易にするために用いられている。
【００１６】
この空間的な関係を示す単語は、図面に示された方向に加えて、使用または動作する装置の様々な向きを包含しようとするものと理解されたい。
【００１７】
例えば、図中の装置が逆転された場合、他の要素又は特徴の「下」又は「下方」と記載されていた要素は、その後、その他の要素又は特徴の「上側」になる。したがって、例示的に「下方」という単語を用いても、上方と下方の両方の向きを包含することができる。或いは、装置が他の方向（９０度或いは他の方向）に向けば、空間的な関係を示す単語もその状況に従って解釈される。既知の機能や構成は、簡潔さや明瞭さを優先して、詳細には説明されないかもしれない。ここで「及び／又は」という単語は、そこに挙げられた１つ以上の項目の全ての組み合わせを含むものである。
【００１８】
本明細書で用いる「ワイヤレス通信デバイス」（又はターミナル）は、以下の装置を含む概念であるが、これに限定されるものではない。
・マルチラインディスプレイを有する或いは有さないセルラワイヤレスターミナル。
・セルラワイヤレスターミナルにデータ処理機能、ファクシミリ機能及びデータ通信機能を付加したパーソナル通信システム（ＰＣＳ）ターミナル。
・ワイアレスターミナル、ページャ、インターネット／イントラネットアクセス、ウェブブラウザ、オーガナイザ、カレンダー及び／又は広域位置把握システム（ＧＰＳ）レシーバを含むことのできるＰＤＡ。
・ワイヤレスターミナルトランシーバーを含む、従来からのラップトップ及び／又はパームトップレシーバ或いはその他の機器。
【００１９】
ワイヤレスターミナルは、また「普及型計算機」デバイスとして解釈してもよいし、モバイルターミナルであってもよい。ワイヤレス通信システムは、一般に、利用者に音声通信及びデータ通信を提供するために利用される。例えば、ＡＭＰＳ、ＥＴＡＣＳ、ＮＭＴ−４５０、及びＮＭＴ−９００を指定したシステムなどのようなアナログセルラ無線電話システムは、長い間、世界中で成功裏に利用されてきた。北米標準ＩＳ−５４や、ヨーロッパ標準ＧＳＭに従うような、デジタルセルラ無線電話システムは、１９９０年代の初頭からサービスを行ってきた。
【００２０】
最近では、広い意味でＰＣＳ（パーソナル通信サービス）と呼ばれる非常に様々なワイヤレスデジタルサービスが導入されてきている。これは、ＩＳ−１３６やＩＳ−９５といった標準に従う新しいデジタルセルラシステム、ＤＥＣＴ（デジタルエンハンストコードレス電話）といった低電力システム、及び、ＣＤＰＤ（セルラデジタルパケットデータ）といったデータ通信サービスを含むものである。
【００２１】
図１は、モバイル通信用グローバルシステム（ＧＳＭ）として知られるＴＤＭＡセルラシステムに利用される通信フォーマットの１例を示す図である。ここで、約４．６ｍｓのフレーム周期は、８つのタイムスロット（或いはハーフレートモードでは１６のタイムスロット）に分割される。携帯電話は、受信周波数帯の無線チャネルで受信を行う。各携帯電話は、８つのタイムスロットのうち、例えば図１のタイムスロット１のように割り当てられた１つのタイムスロットで受信を行う。また、携帯電話は、割り当てられた送信タイムスロット、例えばタイムスロット１において、送信周波数帯のチャネルで送信を行う。送信タイムスロットは、対応する受信タイムスロットと比較して時間的に交互にずれている。このため、携帯電話は、同時に送信と受信を行う必要が無い。このことは、図１において、モバイル受信周波数のタイムスロット１と、モバイル送信周波数のタイムスロット１との間の２つのタイムスロットの時間多重空間として示されている。異なる送受信帯域が用いられた場合、基地局は、全てのタイムスロットで送受信を行うことができる。したがって、同じ送受信チャネル対で、８つの会話をサポートすることができる。或いは、もし、周波数多重空間を利用しなければ、基地局は例えば、送信に４つのタイムスロット、受信に４つのタイムスロットを用いることができ、これにより、１つの送受信チャネルで、４つの会話をサポートする。ＧＳＭでは、特定の携帯電話によっては、送受信用に用いられない余った時間は、携帯電話のレシーバが、例えば、より強力な基地局に対していつハンドオーバをリクエストすべきかを決定するために、他のチャネルをスキャンするのに利用可能となる。この処理は、モバイル−アシストハンドオーバとして知られている。  送信パルスフォーマットは、ＧＳＭ規格によって定義され、パルス間のガードタイム、非同期の隣接するチャネルに対するスペクトルスプラッタを回避するためトランスミッタのパワーをスムーズにオン、オフするアップダウンランピングタイム、バーストの各端部でのいくつかのガードビット、及びフラットパワーレベルで、１１４のデータビット、２６の同期ビット及び２つの制御ビットを送信するＴＤＭＡバーストのメインボディを含む。アップダウンランピングタイムは、２００ＫＨｚ離れて隣接したチャンネルへのスペクトル拡散を防止するのに適している。
【００２２】
図２に示すように、ワイヤレス通信デバイス１０１は、図１に示すシステムで動作するものであり、ワイヤレス通信デバイス１０１へ入力するために用いられるキーパッド１１０を含む。キーパッド１１０は、押下されてワイヤレス通信デバイス１０１に入力を行う複数のキーを含む。例えば、ユーザが、通信システムにおいて、通話を開始しようとする際、ユーザは、ダイヤルすべき番号に対応した一連のキーを押す。通話中、ユーザは、マイク１４５に対して話し、ワイヤレス通信デバイス１０１に、ワイヤレス通信デバイス１０１から送信される通信信号を生成させることができる。ユーザは、ワイヤレス通信デバイス１０１によって通話中に受信された通信信号から生成された音声信号を出力するスピーカ１６０からの音を聞くことができる。ワイヤレス通信デバイス１０１は、トランシーバ１４０とアンテナ１５９を介して通信信号を送受信する。
【００２３】
動作中、ユーザは、ワイヤレス通信デバイス１０１のディスプレイ１５６を用いて、文字や数字といった、ワイヤレス通信デバイス１０１の動作に関連する情報を見ることができる。例えば、ディスプレイ１５６は、例えばユーザが入力した電話番号や、ワイヤレス通信デバイス１０１に格納された名前を表示する白黒ＬＣＤであってもよい。ディスプレイ１５６は、また、ユーザが、電話をかける際に番号をダイヤルするように、キーパッド１１０と組み合わせても用いられる。
【００２４】
プロセッサ１０３は、送信時には通信信号をトランシーバ１４０に提供し、受信時には、通信信号をトランシーバから受信する。例えば、プロセッサ１０３は、ユーザがマイク１４５に向かって話している時に通信信号をトランシーバ１４０に供給し、スピーカ１６０での音声の再生のためにトランシーバ１４０から通信信号を受信する。プロセッサ１０３は、ディスプレイ１５６上に表示する文字を生成できる。例えば、プロセッサ１０３は、ユーザがキーパッド１１０を用いて電話番号を打ち込む際に、表示用の番号を生成できる。文字はまた、不図示の文字ジェネレータによっても生成される。マイク１４５、スピーカ１６０、キーパッド１１０及びディスプレイ１５６は、ワイヤレス通信デバイス１０１の動作を制御するプロセッサ１０３に接続される。
【００２５】
トランシーバ１４０は、ワイヤレス通信デバイス１０１からデュプレクサ１４３を通じてアンテナを介して送信周波数帯域の送信周波数で送信する用の送信信号を増幅するパワーアンプシステム１４１を含むトランスミッタ１４２を含む。デュプレクサ１４３はまた、アンテナ１５９を介して受信周波数帯域内の受信周波数で受信した通信信号を、レシーバ１４４に供給する。レシーバ１４４は、プロセッサ１０３と通信する。例えば、ＡＭＰＳ  ＩＳ−１９では、図２に示すように、送信周波数帯域は、約８２４ＭＨｚから８４９ＭＨｚまでであり、受信周波数帯域は、約８６９ＭＨｚから８９４ＭＨｚである。トランシーバ１４０は、従来のトランシーバに含まれているような他の構成要素（不図示）を含んでも良い。
【００２６】
デュプレクサ１４３は、例えば、送信バンドパスフィルタ及び受信バンドパスフィルタを含んでもよい。送信バンドパスフィルタによれば、送信周波数帯域の周波数を有する信号を、送信時にアンテナ１５９に渡すことができる。受信バンドパスフィルタによれば、アンテナ１５９からレシーバ１４４に、受信周波数帯域の周波数を有する信号を渡すことができる。例えば、ＡＭＰＳ  ＩＳ−１９では、送信バンドパスフィルタは、約８２４ＭＨｚから８４９ＭＨｚまで（送信周波数帯域）の周波数を有する信号を、送信のためにアンテナ１５９に渡す。そして、受信バンドパスフィルタは、約８６９ＭＨｚから８９４ＭＨｚまでの周波数を有する信号を、アンテナ１５９からレシーバ１４４に渡す。
【００２７】
動作中は、電源１６１は、電流を、ワイヤレス通信デバイス１０１の構成要素に供給する。例えば、電源１６１は、電流を、コンダクタ１６２を介して、パワーアンプシステム１４１に供給し、パワーアンプシステム１４１から供給される。動作中は、ワイヤレス通信デバイス１０１からデータのバーストが送信されるに従い、パワーアンプシステム１４１は、オンとオフを切り替える。例えば、Ｄ−ＡＭＰＳ  ＴＤＭＡでは、パワーアンプシステム１４１は、毎秒５０回、オンとオフを切り替える一方で、ＧＳＭ  ＴＤＭＡでは、パワーアンプシステム１４１は、毎秒２１７回、オンとオフを切り替える。パワーアンプシステム１４１のオン（送信時）とオフの切り替えにより、パワーアンプシステム１４１が、電源１６１からの直流電流の供給を受ける。そして、供給された直流電流は、パワーアンプシステム１４１のスイッチング周波数に従って、電源１６１に戻される。
【００２８】
図２には１つのコンダクタ１６２が示されているが、電流をパワーアンプシステム１４１に対して及びパワーアンプシステム１４１から供給するために、第１及び第２コンダクタを用いる。特に、第１コンダクタは、電流を電源１６１からパワーアンプシステム１４１に供給するために用いられ、第２コンダクタは、パワーアンプシステム１４１から電源１６１へ戻る電流の通路（return current path）となる。ここで、３つ以上のコンダクタを用いても良い。また、図２に示す全ての構成要素を、従来のワイヤレス通信デバイスに用いられるようなプリント回路基板上にマウントすることができる。更に、プリント回路基板はマルチレイヤ回路基板であり、ワイヤレス通信デバイスのコンポーネントに対してまたはそのコンポーネントから信号を伝導するため、プリント回路基板上の異なる層に導電性エッチが形成される。導電性エッチは、コンダクタ１６２を提供するために用いられる。このコンダクタ１６２を介して、電源１６１からパワーアンプシステム１４１に対して電流が供給され、パワーアンプシステム１４１からも電流が供給される。プリント回路基板は、一般的なフレキシブル回路基板でもよい。
【００２９】
図３は、部分的に重畳した第１及び第２コンダクタの平面図である。これらのコンダクタは、電流をパワーアンプシステムに対して伝導し、且つ、パワーアンプシステムからも電流を伝導する。図３に示すように、第１コンダクタ３０５は、プリント回路基板の第１層において、ジグザグのパターンを描きながら、途切れることなく伸びている。第２コンダクタ３１０は、プリント回路基板の第１層よりも下方の第２層において、途切れることなく伸びている。更に、第２コンダクタ３１０もジグザグのパターンを描きながら伸びており、これにより、第１コンダクタ３０５と第２コンダクタ３１０とは、重畳部分と非重畳部分とを形成する。本実施形態では、第１及び第２コンダクタ３０５、３１０の重畳部分は、互いにほぼ直角をなしつつ重畳する部分３１５Ａ〜Ｅを含む。しかし、本発明の他の実施形態では、第１及び第２コンダクタ３０５、３１０の重畳部分は、互いに直角ではない角度で交わってもよい。なお、第１及び第２コンダクタ３０５、３１０のジグザグパターンは、また、非重畳部分３２０Ａ〜Ｈを含む。
【００３０】
第１及び第２コンダクタ３０５、３１０は、電源１６１と、パワーアンプシステム１４１との間に接続される。パワーアンプシステム１４１及び電源１６１に近接した位置では、パワーアンプシステム１４１または電源１６１に対して適切に接続するように、第１及び第２コンダクタ３０５、３１０は、互いに離間する。例えば、第１コンダクタ３０５は、パワーアンプシステム１４１の電力端子に接続され、一方で、第２コンダクタ３１０は、パワーアンプシステム１４１の基準端子（例えばアース端子）に接続されてもよい。したがって、第１及び第２コンダクタ３０５、３１０は、パワーアンプシステム１４１のすぐそばまで、図３に示すようなジグザグパターンを描いて伸びている必要はない。
【００３１】
第１コンダクタ３０５は、第１電流を第１方向に、例えば電源１６１からパワーアンプシステム１４１へと流すために用いられる。更に、第２コンダクタ３１０は、パワーアンプシステム１４１から電源１６１へ、第１方向とは逆の第２方向に第２電流を流すために用いられる。
【００３２】
従って、第１及び第２電流は、互いに逆方向の電流であり、このため、パワーアンプシステム１４１のスイッチングに応じた電流の変化によって生じたそれぞれの電磁界は、相互に打ち消し合い、全体として、パワーアンプシステム１４１のスイッチングによって生成された電磁界全体を低減することができる。したがって、パワーアンプシステム１４１のスイッチングによって生じる電磁界全体を抑制し、これにより、ワイヤレス通信デバイス１０１のそばにある補聴器への干渉を低減することができる。
【００３３】
上記では、第１コンダクタ３０５が、電流をパワーアンプシステムに供給するものとして記載したが、他の実施形態として、パワーアンプシステム１４１から電源１６１へ戻る電流の流路を提供するために第１コンダクタ３０５を用いてもよい。また、コンダクタが配された第１層及び第２層は、プリント回路基板内において互いに隣接してもよいし、それらの間に他の層が介在していてもよい。
【００３４】
図３に示された第１及び第２コンダクタ３０５、３１０の重畳部分は、距離Ｄだけ離れている。しかし、第１及び第２コンダクタ３０５、３１０の隣接する重畳部分同士の間隔を、パワーアンプシステム１４１への電流を切り替える周波数に基づいて定めてもよい。例えば、５０Ｈｚで、パワーアンプシステム１４１への電流をスイッチングする場合、第１及び第２コンダクタの、隣接する重畳部分同士の間隔を、第１の値とすることができる。また、例えば２１７Ｈｚでパワーアンプシステム１４１をスイッチングする場合、第１及び第２コンダクタ３０５、３１０の隣接する重畳部分同士の間隔を他の値とすることができる。すなわち、第１及び第２コンダクタ３０５、３１０の隣接する重畳部分同士の間隔は、パワーアンプシステム１４１においてスイッチングされる電流の周波数に基づいた値とすることができる。
【００３５】
図４は、本発明の一実施形態に係る、部分的に重畳部分を有する第１及び第２コンダクタの平面図である。特に、第１及び第２コンダクタ４０５、４１０は、パワーアンプシステム１４１と電源１６１との間に延設されている。図４に示すように、第１コンダクタ４０５の第１部分は、プリント回路基板上の第１層に延設されているが、第２コンダクタ４１０の第１部分は、プリント回路基板上の、第１層よりも下方の第２層に延設される。第１及び第２コンダクタ４０５、４１０は、互いに重畳しており、重畳部分４１５Ａを有する。本実施形態では、重畳部分は、互いにほぼ直角をなしつつ重畳しあっている。しかし、本発明の他の実施形態によっては、この重畳部分が、互いに直角ではない角度をなしてもよい。
【００３６】
非重畳部分４２０Ａ，Ｂにおいて、第１コンダクタ４０５は、第１層から第２層へ移る一方で、第２コンダクタ４１０は、第２層から第１層へ移る。第１及び第２コンダクタ４０５、４１０は、再び第２重畳部分４１５Ｂで重畳し、第１及び第２コンダクタ４０５、４１０は、図４でそれぞれが最初に延設されていた層に移る。このパターンが繰り返され、第１及び第２コンダクタ４０５、４１０は、図４のように、交互に、下層と上層との間でジグザグパターンを描く。
【００３７】
図４に示すように、層の間で移行することは、当業者には既知の回路基板伝導構造によって実現される。例えば、層間での移行４０７は、プリント回路基板技術では通常用いられる、従来のビア構造またはマクロビア構造を利用して行うことができる。他の技術及び構造も同じように利用できる。前記第１及び第２コンダクタ４０５、４１０は、電流を、パワーアンプシステム１４１に対して、及びパワーアンプシステム１４１から流すものであり、これにより、異なる電流によって生成されるそれぞれの電磁界が、相互に打ち消し合い、全体として、パワーアンプシステム１４１のスイッチングによって生成される電磁界を低減することができる。
【００３８】
図５は、本発明の一実施形態に係る第１及び第２コンダクタを示す平面図である。この第１及び第２コンダクタは、電源とパワーアンプシステムの間に延設され、一部に重畳部分を有している。特に、図５の第１及び第２コンダクタ５０５、５１０は、プリント回路基板上に延設されたコンダクタと同じ層において、互いに重畳する重畳部分を有している。例えば、第１重畳部分５１５Ａは、プリント回路基板の第２層に伸びる第１コンダクタ５０５によって定義されている。その一方で、第２コンダクタ５１０は、プリント回路基板の第１層において第１コンダクタ５０５と交差する。
【００３９】
隣接する重畳部分５１５Ｂは、第１コンダクタ５０５が、第２コンダクタ５１０と、第２層で再度交差することを示している。一方、第２コンダクタ５１０は、第１コンダクタ５０５と、プリント回路基板の第１層において再度交差する。
【００４０】
このパターンは、パワーアンプシステム１４１と電源１６１との間で、途切れることなく繰り返される。他の実施形態と同様に、第１コンダクタ及び第２コンダクタには、互いに逆向きの第１電流と第２電流とが流れる。これにより、それぞれに生成された電磁界は、相互に打ち消し合い、パワーアンプシステム１４１のスイッチングによって生成される全電磁界を低減することができる。本実施形態では、重畳部分は、互いにほぼ直角をなしつつ重畳しあっている。しかし、本発明の他の実施形態によっては、この重畳部分が、互いに直角ではない角度をなしてもよい。
【００４１】
図６は、本発明の一実施形態に係る第１及び第２コンダクタを示す平面図である。この第１、第２コンダクタは、重畳部分と非重畳部分を有する。図６に示すように、第１及び第２コンダクタ６０５、６１０は、重畳部分６１５Ａ〜Ｅを有する。第１及び第２コンダクタ６０５、６１０は、交互に上下するパターンで（in an altematingly over/under pattern）、互いに交差する。例えば、第１コンダクタ６０５は、第２コンダクタ６１０と、プリント回路基板の第１層において交差する。一方、第２コンダクタ６１０は、第１重畳部分６１５Ａのいて、プリント回路基板の第２層上で、第１コンダクタ６０５と重畳する。隣接する重畳部分６１５Ｂは、プリント回路基板の第２層上に伸びる第１コンダクタ６０５によって形成される。一方、第２コンダクタ６１０は、プリント回路基板の第１層上で、第１コンダクタ６０５の上方において伸びている。
【００４２】
この交互パターンは、第１及び第２コンダクタがパワーアンプシステム１４１と電源との間に伸びる間、繰り返される。図６に示すように、第１及び第２コンダクタ６０５、６１０は、プリント回路基板の第１層と第２層との間で、非重畳部分６２０Ａ〜Ｈ内に設けられたコンダクタ６０７によって移行する。本実施形態では、重畳部分は、互いにほぼ直角をなしつつ重畳しあっている。しかし、本発明の他の実施形態によっては、この重畳部分が、互いに直角ではない角度をなしてもよい。
【００４３】
以上、複数の実施形態について図２〜６に示してきたが、別々に示された実施形態の様々な態様を組み合わせて他の実施形態を実現してもよい。更に、第１及び第２コンダクタが、パワーアンプシステム１４１から電源１６１へ伸びるのに合わせて、隣接する重畳部分同士の間の間隔を変更してもよい。例えば、パワーアンプシステム１４１に近い位置では、第１及び第２コンダクタの重畳部分は、第１インターバルの間隔とし、第１及び第２コンダクタが電源１６１に接近するにつれて、そのインターバルを大きくしてもよい。また、インターバルを逆方向に大きくしてもよい。重畳部分同士の間隔は、コンダクタが基板上に伸びるのに合わせて連続的に変化してもよい。
【００４４】
説明を容易にするため、ＧＳＭ（Global System for Mobile Communication）ネットワークとの通信に関して、本発明を説明してきた。しかし、本発明は、いかなるワイヤレス又はセルラテレコミュニケーションネットワークにおいても実現できる。これは、ＴＤＭＡシステム、ＣＤＭＡシステム、コードレス電話装置、ワイヤレスＰＢＸシステム或いは他の同様のワイヤレスシステム又はプロトコルを含むがこれらに限定されるものではない。本明細書で開示する移動機は、セルラ電話又はコードレス電話といったワイヤレスデバイスであってもよいし、また、アドホックピコネットを介して補聴器と接続される録音機器やアンプ機器といった音声再生装置であってもよい。
【００４５】
当業者であれば、本開示から、本発明の思想や範囲から逸脱することなく、多くの代替例或いは変形例を思いつくであろう。したがって、ここで示された実施形態は、単に１例としての目的で説明してきたのであって、特許請求の範囲に記載された発明を限定する目的で用いるべきではない。つまり、特許請求の範囲は、文言どおりの要素の組み合わせのみならず、実質的に同じ結果を得るための実質的に同じ方法で実質的に同じ機能を実行する全ての等価な要素を含むものとして読まれるべきである。特許請求の範囲は、特に説明してきたもの、その概念的な等価物、及び、本発明の本質的なアイデアを盛り込んだものを含むものとして理解されるべきである。
【図面の簡単な説明】
【００４６】
【図１】図１は、ＴＤＭＡタイプの通信システムでのタイムスロットの送受信を示す概略図である。
【図２】図２は、本発明の実施形態に係るワイヤレス通信デバイスを示すブロック図である。
【図３】図３は、本発明の実施形態に係る第１及び第２のコンダクタを示す概略図である。
【図４】図４は、本発明の実施形態に係る第１及び第２のコンダクタを示す概略図である。
【図５】図５は、本発明の実施形態に係る第１及び第２のコンダクタを示す概略図である。
【図６】図６は、本発明の実施形態に係る第１及び第２のコンダクタを示す概略図である。
【図１】
2007533258.tif 000003
【図２】
2007533258.tif 000004
【図３】
2007533258.tif 000005
【図４】
2007533258.tif 000006
【図５】
2007533258.tif 000007
【図６】
2007533258.tif 000008
【手続補正書】
【提出日】平成18年5月17日(2006.5.17)
【手続補正１】
【補正対象書類名】特許請求の範囲
【補正対象項目名】全文
【補正方法】変更
【補正の内容】
【特許請求の範囲】
【請求項１】
第１タイムインターバルに、ワイヤレス通信ネットワークに情報を送信し、第２タイムインターバルにはその情報送信を行わないパワーアンプと、
前記パワーアンプに接続された回路基板と、
前記パワーアンプに電力を供給する電源と、
前記パワーアンプと前記電源とに接続され、それぞれが、前記パワーアンプと前記電源との間の位置において、前記回路基板上に重畳部分および非重畳部分を有する第１及び第２コンダクタと、
を含むことを特徴とするワイヤレス通信デバイス。
【請求項２】
前記第１及び第２コンダクタは、前記電源を前記パワーアンプに接続する第１及び第２エッチラン（etch runs）を含むことを特徴とする請求項１に記載のワイヤレス通信デバイス。
【請求項３】
前記回路基板は、プリント回路基板またはフレキシブル回路基板を含むことを特徴とする請求項１に記載のワイヤレス通信デバイス。
【請求項４】
前記第１コンダクタには、第１電流が前記パワーアンプに対して第１方向に流れ、第２コンダクタには、第２電流が、前記パワーアンプから、第１方向とは逆の第２方向に流れることを特徴とするワイヤレス通信デバイス。
【請求項５】
前記第１及び第２電流は、前記パワーアンプの動作に応じて、５０Hzと２１７Hzの間の周波数でオンとオフが切り替わる第１及び第２直流電流を含むことを特徴とする請求項４に記載のワイヤレス通信デバイス。
【請求項６】
前記第１コンダクタの前記重畳部分は回路基板の下層において延設され、前記回路基板の上層に延設された第２コンダクタの前記重畳部分の下方に位置することを特徴とする請求項１に記載のワイヤレス通信デバイス。
【請求項７】
前記重畳部分は、それぞれ、互いに直角をなすことを特徴とする請求項６に記載のワイヤレス通信デバイス。
【請求項８】
前記第１コンダクタの重畳部分及び非重畳部分は、途切れることなく前記下層に延設され、第２コンダクタの重畳部分及び非重畳部分は、途切れることなく前記上層に延設されることを特徴とする請求項６に記載のワイヤレス通信デバイス。
【請求項９】
途切れることなく延設された前記第１、第２コンダクタは、互いに部分的に重なり合ったジグザグパターンを有することを特徴とする請求項８に記載のワイヤレス通信デバイス。
【請求項１０】
前記第１及び第２コンダクタの重畳部分と非重畳部分は、前記下層と前記上層に交互に延設されることを特徴とする請求項６に記載のワイヤレス通信デバイス。
【請求項１１】
交互に延設された前記第１及び第２コンダクタは、互いに部分的に重畳する第１及び第２ジグザグパターンを有することを特徴とする請求項８に記載のワイヤレス通信デバイス。
【請求項１２】
前記下層及び上層は、１つ以上の層によって分離されているか、或いは、直接隣接していることを特徴とする請求項６に記載のワイヤレス通信デバイス。
【請求項１３】
第１及び第２コンダクタの重畳部分のうち、隣接する重畳部分同士の間隔は、パワーアンプへの電流が切り替えられる周波数に基づいて定められることを特徴とする請求項１に記載のワイヤレス通信デバイス。
【国際調査報告】
2007533258.tif 000009
2007533258.tif 000010
2007533258.tif 000011